(57)【要約】【課題】ドラグ力に抗して釣糸が引き出された際に、釣糸が傷付くことがなく、レベルワインド装置に作用する負荷を低減し、釣糸の食い込みや感度の向上、さらには、魚釣り操作性の向上を図る。【解決手段】スプール５Ａと、釣糸Ｓが挿通される釣糸案内体６０を有し、釣糸案内体６０を左右往復移動するレベルワインド装置５０と、釣糸Ｓにドラグ力を付与するドラグ装置８ｂと、を備え、釣糸案内体６０は、釣糸Ｓが挿通される幅狭案内部６７および幅広開口部６８を有しており、スプール５Ａに釣糸Ｓを巻き取る釣糸巻き取り状態において、幅狭案内部６７に釣糸Ｓを位置させるとともに、釣糸巻き取り状態において、ドラグ装置８ｂにより付与されたドラグ力に抗して釣糸Ｓが引き出されたときには、幅広開口部６８に釣糸Ｓを位置させる構成とした。【選択図】図３
2015104341.tif 000002
【特許請求の範囲】
【請求項１】
リール本体に回転自在に支持されたスプールと、
釣糸が挿通される釣糸案内体を有し、前記スプールに釣糸を案内すべく前記釣糸案内体を左右往復移動するレベルワインド装置と、
釣糸にドラグ力を付与すべく釣糸の引き出しで回転する回転体を制動するドラグ装置と、を備えた魚釣用リールであって、
前記釣糸案内体は、
釣糸が挿通される幅狭案内部および幅広開口部を有しており、
前記スプールに釣糸を巻き取る釣糸巻き取り状態において、前記幅狭案内部に釣糸を位置させるとともに、
釣糸巻き取り状態において、前記ドラグ装置により付与されたドラグ力に抗して釣糸が引き出されたときには、前記幅広開口部に釣糸を位置させることを特徴とする魚釣用リール。
【請求項２】
前記スプールを動力伝達状態と動力遮断状態とに切り換えるクラッチ機構を備え、
前記釣糸案内体は、前記クラッチ機構により動力伝達状態に切り換えられたときに、前記幅狭案内部に釣糸を位置させるとともに、前記クラッチ機構により動力遮断状態に切り換えられたときに、前記幅広開口部に釣糸を位置させることを特徴とする請求項１に記載の魚釣用リール。
【発明の詳細な説明】
【技術分野】
【０００１】
本発明は、スプール前方の側板間に釣糸案内体が備わる魚釣用リールに関する。
【背景技術】
【０００２】
従来、両軸受型タイプの魚釣用リールには、左右側板間に回転可能に支持されたスプールに対して釣糸を均等に巻回するために、レベルワインド装置が配設されている。このレベルワインド装置は、一方の側板側に回転可能に配設されたハンドルの巻き取り操作に連動して、スプール前方で左右に往復動する釣糸案内体を備えており、釣糸案内体に釣糸が挿通されることで、スプールに対して釣糸を平行に巻回することが可能となっている。
【０００３】
ところで、上記した釣糸案内体は、例えば、仕掛けをキャスティングするとき、釣糸が接触して抵抗となってしまい、仕掛けの飛距離を低下させてしまうという問題がある。このような問題を解決するために、例えば、特許文献１には、釣糸案内体の釣糸案内部の形状を、上部では左右方向に横長形状にして釣糸放出時における釣糸挿通部とし、下部では中央を幅狭の溝部として釣糸巻き取り時の案内部とした構成が開示されている。そして、特許文献１では、釣糸案内体の前後方向の近傍に、クラッチの切換操作に連動して上下方向に移動可能とされたピラーを配設している。ピラーは、釣糸放出時に上方に移動され、釣糸巻き取り時に下方に移動される。ピラーが上方に移動されることで釣糸挿通部に釣糸が位置し、釣糸放出時の糸抵抗が軽減される。また、ピラーが下方に移動されることで釣糸が幅狭の溝部に案内され、スプールに巻回される糸巻状態が向上される。
【先行技術文献】
【特許文献】
【０００４】
【特許文献１】特開２０１２−７０６８３号
【発明の概要】
【発明が解決しようとする課題】
【０００５】
本出願人は、先の出願（特願２０１２−１２１９５２号）において、クラッチの切換操作に連動して釣糸案内体を回動させるようにした魚釣用リールを提案している。この魚釣用リールでは、釣糸放出時に、釣糸案内体を前方へ回動させることで、釣糸挿通部に釣糸が位置するようになっており、糸抵抗が軽減されるように構成されている。また、この魚釣用リールでは、釣糸巻き取り時に、釣糸案内体を後方へ回動させることで、上端後部で釣糸を抑えつつ溝部に釣糸が位置するようになっており、溝部を通して釣糸が巻き取られるように構成されている。
【０００６】
通常、魚釣用リールは、魚が掛かった際等の釣糸の引き出しに対し、制動力（以下、「ドラグ力」という）を付与するドラグ装置を備えている。このようなドラグ装置によるドラグ力に抗して釣糸が引き出される場合、釣糸は溝部を通じて引き出されるため、溝部と釣糸との間で摩擦が発生する。このため、釣糸が傷付くおそれがあった。なお、釣糸がＰＥラインである場合には、コーティングが剥がれ落ちるおそれもあった。さらには、釣糸案内体を通じてレベルワインド装置にも負荷が作用するため、故障の原因となるおそれもあった。
【０００７】
また、左右方向における釣糸案内体の位置によっては、ドラグ力にばらつきを生じることがあり、釣糸の食い込みや感度、操作性にも影響が生じる可能性があり、これを改善したいという要望があった。
【０００８】
本発明は、上記した問題に着目してなされたものであり、ドラグ力に抗して釣糸が引き出された際に、釣糸が傷付くことがなく、レベルワインド装置に作用する負荷を低減することができるとともに、釣糸の食い込みや感度の向上、さらには、魚釣り操作性の向上を図ることができる魚釣用リールを提供することを目的とする。
【課題を解決するための手段】
【０００９】
上記した目的を達成するために、本発明に係る魚釣用リールは、リール本体に回転自在に支持されたスプールと、釣糸が挿通される釣糸案内体を有し、前記スプールに釣糸を案内すべく前記釣糸案内体を左右往復移動するレベルワインド装置と、釣糸にドラグ力を付与すべく釣糸の引き出しで回転する回転体を制動するドラグ装置と、を備えた魚釣用リールであって、前記釣糸案内体は、釣糸が挿通される幅狭案内部および幅広開口部を有しており、前記スプールに釣糸を巻き取る釣糸巻き取り状態において、前記幅狭案内部に釣糸を位置させるとともに、釣糸巻き取り状態において、前記ドラグ装置により付与されたドラグ力に抗して釣糸が引き出されたときには、前記幅広開口部に釣糸を位置させることを特徴とする。
【００１０】
本発明の魚釣用リールによれば、スプールに釣糸を巻き取る釣糸巻き取り状態において、幅狭案内部に釣糸が位置し、幅狭案内部を通じてスプールに均等に釣糸が巻き取られる。
また、釣糸巻き取り状態において、ドラグ力に抗して釣糸が引き出されたときには、幅広開口部に釣糸が位置し、幅広開口部を通じてスプールから釣糸が引き出される。
【００１１】
また、本発明は、前記スプールを動力伝達状態と動力遮断状態とに切り換えるクラッチ機構を備え、前記釣糸案内体は、前記クラッチ機構により動力伝達状態に切り換えられたときに、前記幅狭案内部に釣糸を位置させるとともに、前記クラッチ機構により動力遮断状態に切り換えられたときに、前記幅広開口部に釣糸を位置させることを特徴とする。
【００１２】
この構成では、動力伝達状態となるクラッチＯＮ状態で、釣糸は幅狭案内部に案内されてスプールに均等に巻回される。また、動力遮断状態となるクラッチＯＦＦ状態で、釣糸は幅広開口部に位置し、幅広開口部を通じて放出される。
【発明の効果】
【００１３】
本発明によれば、スプールに釣糸を巻き取る釣糸巻き取り状態では、幅狭案内部に釣糸が位置し、幅狭案内部を通じてスプールに釣糸が均等に巻き取られるので、釣糸をスプールに良好に平行巻きできる。
また、釣糸巻き取り状態において、ドラグ力に抗して釣糸が引き出されたときには、幅広開口部に釣糸が位置し、幅広開口部を通じて釣糸が引き出されるので、釣糸の引き出し抵抗が低減される。したがって、幅狭案内部を通じて釣糸が引き出される場合に比べて釣糸が傷付き難くなり、また、釣糸の引き出しによってレベルワインド装置に作用する負荷を低減することもできる。
また、釣糸の引き出し抵抗が低減されるので、ドラグ力にばらつきが生じ難くなり、ドラグ性能が低下する等の不具合を確実に防止することができる。したがって、所望のドラグ性能を得ることができ、釣糸の食い込みや感度、魚釣り操作性が向上する。
【００１４】
また、クラッチ機構の切り換えにより釣糸案内体が切り換え可能に設けられている構成では、クラッチ機構の切り換えに連動して、釣糸の好適な巻き取り、および釣糸の好適な放出を実現することができ、操作性に優れた魚釣用リールが得られる。
【００１５】
なお、上記した構成において、釣糸案内体は、釣糸巻き取り状態と釣糸放出状態との間で、釣糸に対する位置が変化するようにした構成を採用することができる。その場合、釣糸案内体が回動して切り換えられたり、釣糸案内体が直線的に移動して切り換えられたりする構成を採用することができる。
【図面の簡単な説明】
【００１６】
【図１】本発明の第１実施形態に係る魚釣用リールを示し、釣糸案内体部分を露出させた平面図である。
【図２】図１に示す魚釣用リールの内部構造を示す構造説明図である。
【図３】図１に示す魚釣用リールにおいて、クラッチ機構の動力伝達部分の構成を示す側面図（クラッチＯＮ状態）である。
【図４】図１に示す魚釣用リールにおいて、クラッチ機構の動力伝達部分の構成を示す側面図（クラッチＯＦＦ状態）である。
【図５】（ａ）はクラッチプレートと釣糸案内体を回動させる回動プレートとの連結部分の構造を示す断面図、（ｂ）は切換機構の主要部の構造を示す断面図である。
【図６】図１に示す魚釣用リールの縦断面図であり、釣糸案内体が釣糸巻き取り状態（クラッチＯＮ状態）にあるときを示す図である。
【図７】（ａ）は釣糸案内体を拡大して示す斜視図（クラッチＯＮ状態）、（ｂ）は図７（ａ）に示す釣糸案内体の正面図である。
【図８】図１に示す魚釣用リールの縦断面図であり、釣糸案内体が釣糸放出状態（クラッチＯＦＦ状態）にあるときを示す図である。
【図９】（ａ）は釣糸案内体を拡大して示す斜視図（クラッチＯＦＦ状態）、（ｂ）は図９（ａ）に示す釣糸案内体の正面図である。
【図１０】（ａ）は釣糸巻き取り時の作用説明図、（ｂ）は釣糸放出時の作用説明図である。
【図１１】（ａ）は釣糸巻き取り時にドラグ力に抗して釣糸が引き出されたときの様子を示す説明図、（ｂ）は同じく釣糸案内体が釣糸放出状態に回動された状態を示す説明図である。
【図１２】釣糸の引き出しが停止されたときの様子を示す説明図である。
【図１３】本発明の第２実施形態に係る魚釣用リールを示し、クラッチ機構の動力伝達部分の構成を示す側面図（クラッチＯＮ状態）である。
【図１４】図１３に示す魚釣用リールの切換機構の主要部の構造を示す断面図である。
【図１５】（ａ）は釣糸巻き取り時の作用説明図、（ｂ）は釣糸放出時の作用説明図である。
【図１６】（ａ）は釣糸巻き取り時にドラグ力に抗して釣糸が引き出されたときの様子を示す説明図、（ｂ）は同じく釣糸案内体が釣糸放出状態に回動された状態を示す説明図である。
【図１７】本発明の第３実施形態に係る魚釣用リールを示し、要部を断面で示した平面図である。
【図１８】（ａ）は釣糸巻き取り時の作用説明図、（ｂ）は釣糸放出時の作用説明図である。
【発明を実施するための形態】
【００１７】
以下、本発明に係る魚釣用リールの実施形態について図面を参照して説明する。なお、以下の説明において、「前後」「左右」を言うときは、図１に示した方向を基準とし、「上下」を言うときは、図３，図４に示した方向を基準とする。なお、説明において、同一の要素には同一の符号を用い、重複する説明は省略する。
【００１８】
（第１実施形態）
本実施形態に係る魚釣用リールは、図１に示すように、左右側板１Ａ，１Ｂを備えたリール本体１を有している。左右側板１Ａ，１Ｂは、左右のフレーム２ａ，２ｂを左右カバー３ａ，３ｂで覆って構成される。リール本体１には、左右側板１Ａ，１Ｂ間に位置し、図示しない釣竿に装着されるリール脚１Ｃが一体形成されている。また、左右のフレーム２ａ，２ｂ間には、スプール軸５が軸受を介して回転可能に支持されており、スプール軸５には、釣糸Ｓが巻回されるスプール５Ａが一体的に固定されている。さらに、左右側板１Ａ，１Ｂ間には、スプール５Ａに対して上方側に、指を載置可能なサムレスト１Ｄが設けられている。
【００１９】
本実施形態では、スプール５Ａを回転駆動するハンドル８を右側板１Ｂ側に設置している。右フレーム２ｂと右カバー３ｂとの間には空間が形成され、この空間には、ハンドル８の回転駆動力をスプール軸５に伝達する公知の駆動力伝達機構１０が配設されている。また、右フレーム２ｂと右カバー３ｂとの間には、スプール軸５を動力伝達状態と動力遮断状態に切り換える公知のクラッチ機構２０が配設されている。クラッチ機構２０は、スプール５Ａの後方側の左右側板１Ａ，１Ｂ間に配設されたクラッチ切り換え操作部材（以下、操作部材と称する）２１を押し下げ操作することで、クラッチＯＮ状態（動力伝達状態であり釣糸巻き取り状態）からクラッチＯＦＦ状態（動力遮断状態であり釣糸放出状態）に切り換えるようになっている。なお、クラッチＯＦＦ状態からクラッチＯＮ状態への復帰は、後記する自動復帰機構３０（図３参照）によってハンドル８を回転操作することで行うことが可能である。
【００２０】
さらに、右フレーム２ｂと右カバー３ｂとの間には、図２，図３，図４に示すように、切換機構７０が配設されている。切換機構７０は、釣糸巻き取り状態において、後記するドラグ装置８ｂ（図２参照）により付与されるドラグ力に抗して釣糸Ｓが引き出されたときに、釣糸案内体６０（図１，図３，図４）を回転駆動するものである。切換機構７０の詳細は、後記する。
【００２１】
左右側板１Ａ，１Ｂ間には、図１に示すように、スプール５Ａの釣糸繰出し方向側（前側）に、レベルワインド装置５０が配設されている。このレベルワインド装置５０には、釣糸Ｓが挿通される釣糸案内体６０が備わる。釣糸案内体６０は、ハンドル８を回転操作することで左右に往復移動するよう構成されており、釣糸Ｓの巻き取り操作に伴って、スプール５Ａに対して釣糸Ｓを均等に巻回させる機能を有する。
【００２２】
駆動力伝達機構１０は、ハンドル８が固定されたハンドル軸８ａにドラグ装置８ｂと関連して回転可能に装着された回転体としての駆動歯車１１と、この駆動歯車１１に噛合するピニオン１２とを備えている。駆動歯車１１は、釣糸巻き取り時にハンドル８が回転操作されると、図３中Ｘ１方向（時計回り）に回転する。また、駆動歯車１１は、ドラグ装置８ｂにより付与されたドラグ力に抗して釣糸Ｓが引き出された際に、図３中Ｙ１方向（反時計回り）に回転するようになっている。
ハンドル軸８ａは、公知のように、右カバー３ｂとの間に設けられた一方向クラッチ（楔作用を利用した転がり式一方向クラッチ）Ｋにより、釣糸巻き取り方向の回転を許容し、釣糸繰り出しに伴う逆回転を防止する逆回転防止機構を構成している。
【００２３】
ピニオン１２は、図２に示すように、スプール軸５と同軸上に設置されており、ピニオン軸（スプール軸５であってもよい）１２ａに沿って軸方向に移動可能となっている。また、ピニオン１２の外周には、円周溝１２ｂが形成されており、この円周溝１２ｂに、後記するクラッチ機構２０のヨーク２２が係合して、ピニオン１２を軸方向に移動させるように構成されている。すなわち、ピニオン１２が軸方向に移動することで、スプール軸５との間で継脱がなされ、動力伝達状態（クラッチＯＮ）／動力遮断状態（クラッチＯＦＦ）に切り換えられるように構成されている。
【００２４】
クラッチ機構２０は、図３に示すように、右フレーム２ｂに対して回動可能に支持されるクラッチプレート２５を備えている。クラッチプレート２５は、振り分けバネ２３によって、図３に示す動力伝達状態（クラッチＯＮ状態）と、図４に示す動力遮断状態（クラッチＯＦＦ状態）に振り分け保持される。クラッチプレート２５は、右フレーム２ｂに上下方向に形成された連結孔２ｄを介して操作部材２１と連結されており、クラッチプレート２５に形成された長孔２５ａに、右フレーム２ｂに突出するように設けられたピン２ｅが挿入されて、その回動駆動が案内されるように構成されている。
【００２５】
クラッチプレート２５の表面には、一対のカム面２６が形成されている。一対のカム面２６は、ピニオン１２の円周溝１２ｂ（図１参照）に係合したヨーク２２と係合可能である。ヨーク２２の先端側は、右フレーム２ｂに突設された支持ピン２７によって保持されており、ヨーク２２は、支持ピン２７に配設されたバネ部材２７ａによって常時、スプール軸５側に付勢されている。なお、図３では、ヨーク２２がバネ部材によってスプール軸５側に付勢された状態を示しており、このとき、ピニオン１２はスプール軸５の端部に形成されている係合部５ａ（図２参照）に嵌合してクラッチＯＮ状態となっている。
【００２６】
クラッチプレート２５は、操作部材２１が、図４の白抜き矢印に示すように押下げ操作されると反時計回り方向に回動する。クラッチプレート２５は、この回動により、カム面２６およびヨーク２２を介して、ピニオン１２（図２参照）を右側にバネ部材２７ａの付勢力に抗して移動し、スプール軸５の端部に形成されている係合部５ａ（図２参照）から離脱させ、クラッチＯＦＦ状態に切り換える。なお、この状態は、振り分けバネ２３によって保持される。
【００２７】
また、クラッチプレート２５には、クラッチをＯＦＦ状態からクラッチＯＮ状態にする自動復帰機構３０が設けられている。自動復帰機構３０は、図３に示すように、クラッチプレート２５に揺動可能に連結されるキック部材３１と、ハンドル軸８ａに回り止め固定されるラチェット３２とを備えている。キック部材３１は、クラッチＯＮ状態からクラッチＯＦＦ状態に切り換えられると、図４に示すように、ラチェット３２の回転軌道内に侵入するように配置される。このため、クラッチＯＦＦ状態において、ハンドル８を巻き取り操作すると、ラチェット３２の回転によりキック部材３１はキックされて上方に移動し、自動的にクラッチプレート２５を（時計回り方に回転して）クラッチＯＮ状態に復帰させて、振り分けバネ２３のバネ力で保持される。なお、クラッチの復帰は、操作部材２１を押し上げ操作しても行うことが可能である。
【００２８】
スプール５Ａの前方側の左右側板１Ａ，１Ｂ間には、前記したようにレベルワインド装置５０が配置されている。以下、レベルワインド装置５０の構成について、図５から図９を併せて参照して説明する。
【００２９】
レベルワインド装置５０は、スプール５Ａに巻回された釣糸Ｓが挿通される釣糸案内体６０を備えている。この釣糸案内体６０は、軸受５２（図２，図５（ａ）参照）を介して左右側板１Ａ，１Ｂ間に回動可能に支持され、駆動力伝達機構１０を介して回転可能に駆動される螺軸（ウォームシャフト）５１によって、左右往復駆動されるよう構成されている。螺軸５１の右フレーム２ｂ側には、駆動歯車１１（図５（ｂ）参照）と隣接して入力ギャ５３が設けられている。入力ギャ５３は、ハンドル軸８ａと一体的に回転する連結ギャ８ｃ（図３参照）と噛合している（図２では入力ギャ５３と連結ギャ８ｃとを離間して図示）。螺軸５１は、連結ギャ８ｃおよび入力ギャ５３を介してハンドル８の回転駆動と同期して回転駆動されるようになっている。
【００３０】
螺軸５１は、図２に示すように、左右側板１Ａ，１Ｂ間に回動可能に保持される管状体（筒体）５５内に収容されている。管状体５５の外面には、軸方向に延出する長孔５５ａ（図７（ｂ）参照）が形成されている。長孔５５ａは、螺軸５１の表面に形成された螺旋溝５１ａを軸方向に沿って部分的に露出させている。
【００３１】
釣糸案内体６０は、図６，図７（ａ）等に示すように、釣糸挿通部６０Ａと保持部６０Ｂを一体的に備えており、保持部６０Ｂが管状体５５を囲繞するように設けられている。
保持部６０Ｂは、その内部に摺動子６１を保持している。摺動子６１は、長孔５５ａを介して螺旋溝５１ａと係合している。摺動子６１は、袋ナット６２によって、保持部６０Ｂに対して固定される。また、釣糸案内体６０は、螺軸５１の回転によって、螺旋溝５１ａと摺動子６１との係合関係により、軸方向に沿って移動しつつ、管状体５５の回りを回転しないように、回り止めされている。本実施形態では、管状体５５の外周に軸方向に沿って延出する回り止め部５５ｂが形成されており、この回り止め部５５ｂに対して、保持部６０Ｂの係合部６４を係合させることで、回り止め装着されている。具体的には、回り止め部５５ｂは、管状体５５の外周に、軸方向に延出する突起（図６，図７（ｂ）参照、１８０°間隔で一対設けられている）として構成されており、係合部６４は、そのような突起に係合する凹部（図６参照）として構成されている。
【００３２】
また、釣糸案内体６０は、螺軸５１が回転駆動されると、摺動子６１を介して左右側板１Ａ，１Ｂ間で左右往復駆動されるとともに、クラッチ機構２０のクラッチＯＮ／ＯＦＦに連動して釣糸巻き取り状態と釣糸放出状態との間で切り換えられるように構成されている。この場合、釣糸案内体６０の回動駆動については、管状体５５を回動駆動することで成されるように構成されている。
【００３３】
ここで、クラッチ機構２０から管状体５５への動力伝達経路を具体的に説明する。
クラッチプレート２５には、図３に示すように、リール本体１の前方側に向けて突出する突片２５ｂが形成されている。突片２５ｂの先端には、右フレーム２ｂ側に向けて突出する係合突起２５ｃが一体形成されている。一方、右フレーム２ｂには、螺軸５１が支持される部分に回動プレート５９が保持されている。管状体５５（図６参照）は、右フレーム２ｂの内面側において、回動プレート５９と回り止め固定されている。回動プレート５９には、径方向外方に突出する図示しない凸部が形成されており、この凸部に、管状体５５の端部（内周）に形成された図示しない凹部が嵌合することで、両者は、右フレーム２ｂの内面側で固定された状態（一体回動可能な状態）となっている。なお、回動プレート５９と管状体５５とは、一体成形してもよい。
【００３４】
回動プレート５９は、図５（ａ）に示すように、螺軸５１を回転可能に支持する軸受５２の外輪と右フレーム２ｂとの間で回動可能に支持されている。回動プレート５９には、右フレーム２ｂの外面側に沿って、クラッチプレート２５の突片２５ｂと左右方向に重なる連結片５９ｂが形成されている。連結片５９ｂには、図３に示すように、側面視Ｌ字形の係合孔５９１が形成されている。係合孔５９１は、第１長孔５９２と、第１長孔５９２に連続する第２長孔５９３と、を有する。第１長孔５９２は螺軸５１の径方向に延出しており、また、第２長孔５９３は、螺軸５１と同心の円弧状に形成されている。
【００３５】
係合孔５９１には、クラッチプレート２５の突片２５ｂの係合突起２５ｃが遊挿されている。これにより、回動プレート５９は、図３および図４に示すように、クラッチプレート２５の回動に伴って螺軸５１の軸芯を中心に回動されるようになっている。したがって、回動プレート５９は、振り分けバネ２３によって、釣糸巻き取り状態と釣糸放出状態との間で振り分け保持されるクラッチプレート２５とともに、２つの位置で切り換えられるようになっている。なお、係合孔５９１の第２長孔５９３は、後記するように切換機構７０の構成要素の一部を成している。
【００３６】
連結片５９ｂの下端部と右フレーム２ｂとの間には、復帰バネ５９５が取り付けられている。復帰バネ５９５は、回動プレート５９を反時計回り方向に付勢しており、回動プレート５９を釣糸巻き取り状態に保持するようになっている。
これにより、図３に示すように、釣糸巻き取り状態において、クラッチプレート２５の係合突起２５ｃは、回動プレート５９の係合孔５９１において第１長孔５９２の後端部（第２長孔５９３の上端部）に保持されるようになっている。また、図４に示すように、釣糸放出状態において、係合突起２５ｃは、第１長孔５９２の前端部に保持されるようになっている。
なお、復帰バネ５９５は、後記するように切換機構７０の構成要素の一部を成している。
【００３７】
釣糸案内体６０は、回動プレート５９を介して管状体５５が回動駆動されることで、スプール５Ａの前方において前後方向に回動駆動される。ここで、釣糸案内体６０の釣糸挿通部６０Ａの構成について、図７，図９を参照して具体的に説明する。
【００３８】
釣糸挿通部６０Ａは、スプール５Ａからの釣糸Ｓを挿通させる部分であり、ＳＵＳ、チタン等の釣糸抵抗が少ない材料によるフレーム体６０Ｆとして構成され、保持部６０Ｂとともに一体形成されている。具体的には、左右方向に幅狭（細溝状）とされた幅狭案内部６７と、その幅狭案内部６７の上方側で、略対称となるように左右方向に拡がる幅広開口部６８とを備えている。幅広開口部６８は、図９（ｂ）に示すように、釣糸放出状態となったときの正面視（挿通される釣糸Ｓに沿って前方から見た正面視）で、左右方向に拡がる略楕円形状となるように形成されている。幅広開口部６８の両サイド壁は、幅広開口部６８の略中央の下部に形成される幅狭案内部６７に向けて傾斜して釣糸Ｓを案内する傾斜案内面６８ａとなっている。
【００３９】
幅広開口部６８を有するフレーム体６０Ｆは、釣糸巻き取り状態で側面視した際（図６参照）、前後方向に対して傾斜した状態（後方側に向けて次第に立ち上がる形状）となっている。幅広開口部６８を規定する上壁６８ｂは、釣糸放出状態において、前後方向に沿った状態となっており（図８参照）、可能な限り広い開口を確保できるように構成されている。したがって、上壁６８ｂの後端縁６９は、釣糸放出状態から釣糸巻き取り状態に回動した際に、幅広開口部６８内に挿通されている釣糸Ｓに対して、上側から当接できる位置関係となっており、釣糸Ｓを規制する規制部としての機能を有する（以下、後端縁を規制部６９と称する）。
【００４０】
なお、規制部６９は、フレーム体６０Ｆとして一体形成される部分であり、釣糸案内体６０がクラッチ機構２０に連動して、釣糸放出状態から釣糸巻き取り状態に回動した状態で正面視した際（図７（ｂ）に示すように、釣糸Ｓに沿って前方から見た際）、幅狭案内部６７の上下長さＬの範囲内となるような配置関係となっていればよい。すなわち、このような配置関係となっていれば、釣糸案内体６０が、釣糸放出状態から釣糸巻き取り状態に回動すると、幅広開口部６８のいずれかの部分に位置する釣糸Ｓは、規制部６９によって押し付けられ、傾斜案内面６８ａに沿って確実に幅狭案内部６７に案内することが可能となる。また、このような位置関係となっていれば、釣糸巻き取り状態で、釣糸Ｓを確実に幅狭案内部６７から離脱しないようにすることができる。
【００４１】
幅狭案内部６７は、上下方向に延出しており、そこに入り込んだ釣糸Ｓの左右方向のブレを防止して、スプール５Ａ（図１参照）に対して、安定して釣糸を平行巻きする機能（糸巻状態を向上する機能）を有する。
【００４２】
なお、幅狭案内部６７を規定する両壁６７ａは、図７（ａ）（ｂ）に示すように、摺動子６１（図６参照）を固定している袋ナット６２の上方を覆うように伸びていることが好ましく、このような構成により、幅狭案内部６７に入り込んでいる釣糸Ｓが、袋ナット６２の部分で絡むことを効果的に防止することが可能となる。また、幅狭案内部６７の底面６７ｃは、図６に示す釣糸巻き取り状態において、前方に向けて次第に下方向に傾斜する傾斜面となっていることが好ましい。すなわち、このような底面形状にすることにより、スプールから傾斜した状態で繰り出される釣糸Ｓとの摩擦抵抗の低減が図れるようになる。
【００４３】
次に、切換機構７０について説明する。切換機構７０は、前記したように、ドラグ装置８ｂ（図２参照）により付与されたドラグ力に抗して釣糸Ｓが引き出されたときに、釣糸案内体６０（図１，図３，図４）を回転駆動するものである。切換機構７０は、図３，図４に示すように、ワンウェイギャ７１と、フリクションギャ７２と、係合孔５９１と、復帰バネ５９５と、を備えて構成されている。
【００４４】
ワンウェイギャ７１は、図５（ｂ）に示すように、支軸７１０と、支軸７１０に形成された出力ギャ７１１と、支軸７１０に一方向クラッチ７１２を介して設けられた入力ギャ７１３と、を備える。ワンウェイギャ７１は、駆動歯車１１を通じて入力ギャ７１３が反時計回りに回動した際に入力ギャ７１３をフリー回転可能（動力遮断状態）にし、駆動歯車１１を通じて入力ギャ７１３が時計回りに回動した際に入力ギャ７１３と支軸７１０（出力ギャ７１１）とを係合する（動力伝達状態にする）ように構成されている。
【００４５】
支軸７１０は、基端側がベアリング７１０ａを介して右フレーム２ｂの側面に回転可能に支持され、先端側が右カバー３ｂの内面に設けられた支持部３ｂ１に支持されている。出力ギャ７１１は、支軸７１０に一体的に形成されており、フリクションギャ７２の入力ギャ７２３に噛合している。
一方向クラッチ７１２は、支軸７１０の周りに配置された保持体７１４と、保持体７１４の内側で保持体７１４によって転動可能に保持された複数の転がり部材（コロ）７１５と、を備えている。転がり部材７１５は、保持体７１４に設けられた図示しないバネによって反時計回りに押圧付勢されている。保持体７１４の内周面には、各転がり部材７１５が前記バネに抗して時計回りに移動された状態で自由回転可能な状態となる自由回転域（不図示）が形成されている。また、保持体７１４の内周面には、前記バネにより反時計回りに各転がり部材７１５が移動された状態で、楔作用により各転がり部材７１５の回転を阻止する阻止面（不図示）が形成されている。
入力ギャ７１３は、保持体７１４の外周に一体的に取り付けられ、ハンドル軸８ａにドラグ装置８ｂで摩擦係合した駆動歯車１１に噛合している。
【００４６】
このようなワンウェイギャ７１において、入力ギャ７１３が図３中矢印Ｙ２方向（反時計回り方向）に回転した場合には、各転がり部材７１５がバネの付勢力に抗して自由回転域に位置し、入力ギャ７１３が支軸７１０に対してフリー回転可能状態となる。つまり、ハンドル８が回転操作（巻き取り操作）されて駆動歯車１１が図３中Ｘ１方向（時計回り方向）に回転している状態では、入力ギャ７１３がフリー回転し、駆動歯車１１を伝わって入力された回転力（駆動力）が出力ギャ７１１から出力されないように構成されている。
また、入力ギャ７１３が図３中矢印Ｘ２方向（時計回り方向）に回転した場合には、各転がり部材７１５がバネの付勢力によって阻止面と楔係合し、入力ギャ７１３と支軸７１０とが一体回転可能状態となる。つまり、ドラグ装置８ｂによりドラグ力に抗して釣糸Ｓが引き出されて、駆動歯車１１が図３中Ｙ１方向（反時計回り方向）に回転した状態では、入力ギャ７１３と支軸７１０とが連結されて一体回転し、駆動歯車１１を伝わって入力された回転力（引出力）が出力ギャ７１１からフリクションギャ７２に出力される。このように、ドラグ力に抗して釣糸Ｓが引き出され、駆動歯車１１が図３中Ｙ１方向（反時計回り方向）に回転した場合にだけ、ワンウェイギャ７１を介してフリクションギャ７２が駆動されるようになっている。
【００４７】
フリクションギャ７２は、図５（ｂ）に示すように、支軸７２０と、支軸７２０に形成された出力ギャ７２１と、支軸７２０にフリクション機構７２２を介して設けられた入力ギャ７２３と、を備える。フリクションギャ７２は、ワンウェイギャ７１の回転力を後段の回動プレート５９に伝達するものであり、所定のトルク以上の負荷が加わったときに空転するように構成されている。
【００４８】
支軸７２０は、基端側が右フレーム２ｂの側面に設けられた支持孔２ｂ１に回転可能に支持されている。出力ギャ７２１は、支軸７２０に一体的に形成されており、回動プレート５９の先端に設けられた連動ギャ５９ａに噛合している。
フリクション機構７２２は、支軸７２０に設けられた凹部７２４と、凹部７２４に収容された付勢バネ７２５と、付勢バネ７２５に付勢された係合部材７２６と、入力ギャ７２３の内周面の周方向に間隔を空けて形成された係合受部７２７と、を備えて構成されている。係合部材７２６は、係合受部７２７に押圧された状態で係合受部７２７に係合するよう構成されている。
【００４９】
このようなフリクション機構７２２は、所定のトルク以上の負荷が加わったときに、係合受部７２７に対する係合部材７２６の係合が解除されて、支軸７２０と入力ギャ７２３とが相対的に空転（スリップ）するように構成されている。つまり、支軸７２０と入力ギャ７２３との間に予め定められた値以上のトルクが作用したときに、両者は空転関係となり、入力ギャ７２３の空転が続くようになっている。したがって、必要以上の回転力（駆動力）が回動プレート５９に対して加わらないように構成されている。
【００５０】
フリクションギャ７２は、ワンウェイギャ７１の出力ギャ７１１の回転力を受けると、図３中Ｙ３方向（反時計回り方向）に回転し、後段の回動プレート５９を図３中Ｘ４方向（時計回り方向）に回動させるように作用する。これにより、釣糸案内体６０は、図３に示す釣糸巻き取り状態から図４に示す釣糸放出状態に姿勢が切り換えられる。
【００５１】
次に、以上のような構成を有する魚釣用リールの作用について説明する。
図１０（ａ）に示すクラッチＯＮ状態において、操作部材２１を押し下げ操作すると、クラッチプレート２５が、反時計回りに回動され、振り分けバネ２３（図４参照）によって、図１０（ｂ）に示す状態に保持される。このとき、図４に示すように、クラッチプレート２５の表面に形成されたカム面２６がヨーク２２を軸方向にシフトさせ、ピニオン１２をスプール軸５（図１参照）から離脱させる（クラッチＯＦＦ状態）。また、この操作によるクラッチプレート２５の回動に伴って、回動プレート５９が螺軸５１の軸芯を中心に回動される。これにより、管状体５５（図６参照）を介して釣糸案内体６０が、釣糸巻き取り状態から釣糸放出状態に回動される。
【００５２】
このように回動された釣糸案内体６０は、スプール５Ａがフリー回転可能な状態（釣糸放出状態）となっており、幅狭案内部６７に入り込んでいた釣糸Ｓは、規制部６９（図７（ａ）参照）による規制が外れ、幅広開口部６８に移動する。なお、通常、釣糸放出状態では、スプール５Ａに対する釣糸Ｓの巻回量が多いため、規制部６９の規制が外れることで、釣糸Ｓは、直ちに幅広開口部６８に移動することができる。
【００５３】
この状態で、キャスティング操作等を行うことにより、釣糸Ｓが放出される。この場合、釣糸案内体６０の幅広開口部６８は、左右方向に幅広状に形成されていることから、その内面から接触抵抗を受けることが少なくなり、仕掛けの飛距離を低下させるようなことはない。すなわち、釣糸Ｓを放出する際に、釣糸案内体６０からの放出抵抗を軽減することが可能となる。
なお、釣糸放出時には、ピニオン１２がスプール軸５の係合部５ａから離脱しているので、ピニオン１２に噛合している駆動歯車１１に動力は伝達されず、スプール５Ａの回転力が切換機構７０に入力されない。
【００５４】
そして、クラッチ機構２０をＯＮ復帰させるべく、ハンドル８を巻き取り操作すると、自動復帰機構３０によって、クラッチプレート２５は、図３，図１０（ａ）に示す位置に自動復帰する。このクラッチプレート２５のＯＮ状態の復帰に伴って、回動プレート５９を介して管状体５５が回動され、釣糸案内体６０が、釣糸放出状態から釣糸巻き取り状態に切り換えられる。このとき、図９（ｂ）に示すように、幅広開口部６８のいずれかの部分に位置している釣糸Ｓは、回動する規制部６９が当て付くことで押し付けられ、幅広開口部６８の傾斜案内面６８ａに沿って確実に中央の幅狭案内部６７に案内される（図７（ａ）（ｂ）参照）。また、図７（ａ）に示すように、釣糸巻き取り状態では、釣糸Ｓは、規制部６９によって幅狭案内部６７から離脱することはない。
【００５５】
その後、ハンドル８を巻き取り操作すると、駆動歯車１１が図１０（ａ）中Ｘ１方向（時計回り方向）に回転し、ピニオン１２を介してスプール５ＡがＹ５方向（反時計回り方向、釣糸巻き取り方向）に回転する。
また、ハンドル８を巻き取り操作することで、レベルワインド装置５０（図２参照）の螺軸５１は、ハンドル軸８ａに設けられた連結ギャ８ｃ（図３参照）、およびこれに噛合する入力ギャ５３（図５（ａ）参照）を介して回転駆動される。螺軸５１が回転駆動されることで、釣糸案内体６０は、螺軸５１の外周面に形成された螺旋溝５１ａ（図６参照）と係合する摺動子６１（図６参照）を介して、管状体５５に沿って左右往復動される。この場合、管状体５５の外周には、軸方向に沿って延出する回り止め部５５ｂ（図６参照）が形成されているため、釣糸案内体６０は、軸回りに回転することなく、左右に往復駆動される。これにより、釣糸Ｓは、左右方向に幅狭となった幅狭案内部６７によって、スプール５Ａに対して、安定して平行巻きされ、さらには、規制部６９の位置によって、幅狭案内部６７から離脱することもないため、常時、安定した平行巻き状態が確保される。
なお、スプール５Ａに対する釣糸Ｓの巻回量が少ない場合、例えば、釣糸Ｓを多量に放出した状態では、幅狭案内部６７に位置する釣糸Ｓは、規制部６９に接触していなくてもよい。
【００５６】
ハンドル８の巻き取り操作時に、切換機構７０では、図１０（ａ）に示すように、ワンウェイギャ７１の入力ギャ７１３が、駆動歯車１１のＸ１方向（時計回り方向）の回転力を受けて、Ｙ２方向（反時計回り方向）に空転する。したがって、フリクションギャ７２に駆動歯車１１の回転力が伝達されることがなく、釣糸案内体６０は、復帰バネ５９５のバネ力によって釣糸巻き取り状態に保持される。これにより、釣糸案内体６０の幅狭案内部６７を通じた釣糸巻き取り状態が好適に維持される。
【００５７】
次に、クラッチＯＮ状態において、釣糸Ｓが引き出された場合の作用について説明する。
図１１（ａ）に示すように、クラッチＯＮ状態において、ドラグ装置８ｂ（図２参照）のドラグ力に抗してスプール５Ａから釣糸Ｓが引き出されると、その回転力（引出力）は、スプール軸５（図２参照）からピニオン１２を介して一方向クラッチＫで逆転止めされているハンドル軸８ａに摩擦係合している駆動歯車１１に伝達され、駆動歯車１１が図中Ｙ１方向（反時計回り方向）に回動（ドラグスリップ）する。そうすると、駆動歯車１１に噛合しているワンウェイギャ７１の入力ギャ７１３が図中Ｘ２方向（時計回り方向）に回動する。図中Ｘ２方向の回動時、ワンウェイギャ７１は、一方向クラッチ７１２（図５（ｂ）参照）により入力ギャ７１３と支軸７１０とが一体回転可能状態となるので、駆動歯車１１を伝わって入力された回転力が出力ギャ７１１からフリクションギャ７２に伝達される。
【００５８】
これによりフリクションギャ７２の入力ギャ７２３が図中Ｙ３方向（反時計回り方向）に回動し、フリクション機構７２２（図５（ｂ）参照）、支軸７２０（図５（ｂ）参照）を介して出力ギャ７２１（図５（ｂ）参照）が反時計回り方向に回動する。この出力ギャ７２１の回動により、これに噛合している回動プレート５９が図中Ｘ４方向（時計回り方向）に回動され、釣糸巻き取り状態に保持されていた釣糸案内体６０が螺軸５１を中心として時計回り方向に回動する。これにより、釣糸案内体６０が釣糸巻き取り状態から釣糸放出状態（図１１（ｂ）参照）に姿勢を変更する。
【００５９】
この姿勢変更により、釣糸巻き取り時に幅狭案内部６７に挿通されていた釣糸Ｓが、図１１（ｂ）に示すように、幅広開口部６８に移動され、幅広開口部６８を通じて釣糸Ｓが引き出される状態になる。
なお、回動プレート５９には、螺軸５１と同心円弧状の第２長孔５９３が形成されており、第２長孔５９３の上端部にクラッチプレート２５の係合突起２５ｃが係合しているので、第２長孔５９３の下端部に係合突起２５ｃが位置する関係となるまで、回動プレート５９が回動される。したがって、クラッチＯＮ状態のまま、クラッチプレート２５を回動させることなく、釣糸案内体６０を釣糸巻き取り状態から釣糸放出状態（図１１（ｂ）参照）に姿勢変更（移動）させることができる。
【００６０】
このように、釣糸案内体６０が釣糸放出状態（図１１（ｂ）参照）に姿勢変更された後、引き続き釣糸Ｓが引き出されて所定のトルク以上の負荷がフリクションギャ７２に加わると、図５（ｂ）に示した係合受部７２７と係合部材７２６との係合状態が解除されて、支軸７２０と入力ギャ７２３とが相対的に空転（スリップ）する状態となる。これにより、釣糸案内体６０が釣糸放出状態（図１１（ｂ）参照）に保持されつつ、必要以上の回転力（駆動力）が回動プレート５９に対して加わらない状態とされる。
【００６１】
その後、ドラグ力に抗した釣糸Ｓの引き出しが停止されると、図１２に示すように、復帰バネ５９５の付勢力によって回動プレート５９が図中Ｙ４方向（反時計回り方向）に回動され、釣糸案内体６０が、釣糸放出状態から釣糸巻き取り状態に復帰する。
この場合、回動プレート５９の図中Ｙ４方向（反時計回り方向）の回動は、これに噛合しているフリクションギャ７２の図中Ｘ３方向（時計回り方向）の回動となり、さらに、フリクションギャ７２に噛合しているワンウェイギャ７１の出力ギャ７１１の図中Ｙ２方向（反時計回り方向）の回動となる。そして、出力ギャ７１１の図中Ｙ２方向（反時計回り方向）の回動は、入力ギャ７１３に連結されている駆動歯車１１が巻き取り回転方向（図中Ｘ１方向）に回転されることで許容される。つまり、ドラグ力に抗した釣糸Ｓの引き出しが停止された後に、ハンドル８が巻き取り操作されることで、釣糸案内体６０が、釣糸放出状態から釣糸巻き取り状態に復帰することとなる。
【００６２】
なお、釣糸巻き取り最中に、ドラグ装置８ｂ（図２参照）のドラグ力に抗してスプール５Ａから釣糸Ｓが引き出された場合には、上記作用により釣糸案内体６０が釣糸巻き取り状態から釣糸放出状態に回動する。その後、駆動歯車１１の回転力（巻き取り回転力）に対して、スプール５Ａから釣糸Ｓが引き出されるときの回転力（引出力）が小さくなると、上記作用により釣糸案内体６０が釣糸放出状態から釣糸巻き取り状態に復帰する。
【００６３】
以上説明した本実施形態の魚釣用リールによれば、スプール５Ａに釣糸Ｓを巻き取る釣糸巻き取り状態では、幅狭案内部６７に釣糸Ｓが位置し、幅狭案内部６７を通じてスプール５Ａに釣糸Ｓが均一に巻き取られるので、釣糸Ｓをスプール５Ａに良好に平行巻きできる。
【００６４】
また、釣糸巻き取り状態において、ドラグ力に抗して釣糸Ｓが引き出されたときには、幅広開口部６８に釣糸Ｓが位置し、幅広開口部６８を通じて釣糸Ｓが引き出されるので、釣糸Ｓの引き出し抵抗が低減される。したがって、幅狭案内部６７を通じて釣糸Ｓが引き出される場合に比べて釣糸Ｓが傷付き難くなり、また、釣糸Ｓの引き出しによってレベルワインド装置５０に作用する負荷を低減することができる。
【００６５】
また、釣糸Ｓの引き出し抵抗が低減されるので、ドラグ力にばらつきが生じ難くなり、ドラグ性能が低下する等の不具合を確実に防止することができる。したがって、所望のドラグ性能を得ることができ、釣糸Ｓの食い込みや感度、魚釣り操作性が向上する。
【００６６】
また、クラッチ機構２０の切り換えにより釣糸案内体６０が切り換え可能に設けられているので、クラッチ機構２０の切り換えに連動して、釣糸Ｓの好適な巻き取り、および釣糸Ｓの好適な放出を実現することができ、操作性に優れた魚釣用リールが得られる。
【００６７】
（第２実施形態）
図１３〜図１６に第２実施形態の魚釣用リールを示す。本実施形態が前記第１実施形態と異なるところは、切換機構７０のワンウェイギャ７１Ａがピニオン１２に直接取り付けられている点にある。つまり、本実施形態では、図１３に示すようにピニオン１２の回転によりワンウェイギャ７１Ａが回転され、ワンウェイギャ７１Ａの回転力がフリクションギャ７２を介して回動プレート５９に伝わるように構成されている。なお、フリクションギャ７２は、第１実施形態のものよりも径が大径とされているだけであり、構造および作用は同様である。また、回動プレート５９およびその周辺の構造も第１実施形態のものと同様である。
【００６８】
ワンウェイギャ７１Ａは、図１４に示すように、一方向クラッチ７１２Ａと、一方向クラッチ７１２Ａを介して設けられた出力ギャ７１１と、を備える。ワンウェイギャ７１Ａは、ピニオン１２が反時計回りに回動した際に（図１３中Ｙ２方向、釣糸巻き取り状態のときに）出力ギャ７１１をフリー回転可能にし、ピニオン１２が時計回りに回動した際に（図１３中Ｘ２方向、クラッチＯＮ状態でドラグ力に抗して釣糸Ｓが引き出されたときに）ピニオン１２と出力ギャ７１１とを係合するように構成されている。
【００６９】
一方向クラッチ７１２Ａは、図１４に示すように、ピニオン１２周りに配置された保持体７１４Ａと、保持体７１４Ａの内側で保持体７１４Ａによって転動可能に保持された複数の転がり部材（コロ）７１５と、を備えている。保持体７１４Ａの内周面には、第１実施形態と同様の自由回転域（不図示）、および阻止面（不図示）が形成されている。
出力ギャ７１１は、保持体７１４Ａの外側に取り付けられ、フリクションギャ７２に噛合している。
【００７０】
このようなワンウェイギャ７１Ａにおいて、ピニオン１２が図１３中矢印Ｙ２方向（反時計回り方向）に回転した場合には、各転がり部材７１５がバネの付勢力に抗して自由回転域に位置し、出力ギャ７１１がピニオン１２に対してフリー回転可能状態となる。つまり、ハンドル８が回転操作（巻き取り操作）されて駆動歯車１１が図１３中Ｘ１方向（時計回り方向）に回転している状態では、出力ギャ７１１がフリー回転し、駆動歯車１１からピニオン１２を伝わって入力された回転力（駆動力）が出力ギャ７１１から出力されない。
また、ピニオン１２が図３中矢印Ｘ２方向（時計回り方向）に回転した場合には、各転がり部材７１５がバネの付勢力によって阻止面と楔係合し、ピニオン１２と出力ギャ７１１とが一体回転可能状態となる。つまり、ドラグ装置８ｂによりドラグ力に抗して釣糸Ｓが引き出されて、ピニオン１２が図１３中Ｘ２方向（時計回り方向）に回転した状態では、ピニオン１２と出力ギャ７１１とが連結されて一体回転し、ピニオン１２の回転力（引出力）が出力ギャ７１１からフリクションギャ７２に出力される。このように、ドラグ力に抗して釣糸Ｓが引き出され、ピニオン１２が図１３中Ｘ２方向（時計回り方向）に回転した場合にだけ、ワンウェイギャ７１を介してフリクションギャ７２が駆動されるようになっている。
【００７１】
次に、以上のような構成を有する魚釣用リールの作用について説明する。
図１５（ａ）に示すクラッチＯＮ状態において、操作部材２１を押し下げ操作すると、クラッチプレート２５が、図１５（ｂ）に示す状態に保持され、ピニオン１２がスプール軸５の係合部５ａ（図１４参照）から離脱する（クラッチＯＦＦ状態）。これにより、スプール５Ａは回転フリー状態にされ、キャスティング操作等により釣糸Ｓが放出される。つまり、釣糸放出時には、切換機構７０がスプール５Ａ側から離脱した状態となる。
【００７２】
その後、ハンドル８の巻き取り操作でクラッチ機構２０をＯＮ復帰させると、ピニオン１２がスプール軸５に係合し、駆動歯車１１の回転力がピニオン１２を介してスプール５Ａに伝達されて、スプール５Ａが図１５（ａ）中Ｙ２方向（反時計回り方向）に回動される。つまり、釣糸巻き取り時には、切換機構７０がスプール５Ａ側に接続された状態となる。
【００７３】
このような釣糸巻き取り状態において、ピニオン１２が図中Ｙ２方向に回転するが、切換機構７０においては、ワンウェイギャ７１Ａの作用により出力ギャ７１１が空転する。したがって、フリクションギャ７２にピニオン１２の回転力が伝達されることがなく、釣糸案内体６０は、復帰バネ５９５のバネ力によって釣糸巻き取り状態に保持される。これにより、釣糸案内体６０の幅狭案内部６７を通じた釣糸巻き取り状態が好適に維持される。
【００７４】
次に、クラッチＯＮ状態において、釣糸Ｓが引き出された場合の作用について説明する。
図１６（ａ）に示すように、クラッチＯＮ状態において、ドラグ装置８ｂ（図２参照）のドラグ力に抗してスプール５Ａから釣糸Ｓが引き出されると、ピニオン１２が図中Ｘ２方向（時計回り方向）に回動する。図中Ｘ２方向の回動時、ワンウェイギャ７１Ａは、一方向クラッチ７１２Ａ（図１４参照）によりピニオン１２と出力ギャ７１１とが一体回転可能状態となっているので、ピニオン１２の回転力が出力ギャ７１１からフリクションギャ７２に伝達される。
【００７５】
これによりフリクションギャ７２が図中Ｙ３方向（反時計回り方向）に回動し、これに噛合している回動プレート５９が図中Ｘ４方向（時計回り方向）に回動される。これにより、釣糸巻き取り状態に保持されていた釣糸案内体６０が螺軸５１を中心として時計回り方向に回動し、図１６（ｂ）に示すように、釣糸放出状態にされる。
【００７６】
これにより、釣糸巻き取り時に幅狭案内部６７に挿通されていた釣糸Ｓが幅広開口部６８に移動され、幅広開口部６８を通じて釣糸Ｓが引き出される状態になる。
【００７７】
このように、釣糸案内体６０が釣糸放出状態（図１１（ｂ）参照）にされた後、引き続き釣糸Ｓが引き出されて所定のトルク以上の負荷がフリクションギャ７２に加わると、前記のように、フリクションギャ７２が空転（スリップ）する状態となり、釣糸案内体６０が釣糸放出状態（図１１（ｂ）参照）に保持されつつ、必要以上の回転力（駆動力）が回動プレート５９に対して加わらない状態とされる。
【００７８】
その後、ドラグ力に抗した釣糸Ｓの引き出しが停止されると、復帰バネ５９５の付勢力によって回動プレート５９が図中Ｙ４方向（反時計回り方向）に回動され、釣糸案内体６０が、釣糸放出状態から釣糸巻き取り状態に復帰する。
この場合、回動プレート５９の図中Ｙ４方向（反時計回り方向）の回動は、これに噛合しているフリクションギャ７２の図中Ｘ３方向（時計回り方向）の回動となり、さらに、フリクションギャ７２に噛合しているワンウェイギャ７１Ａの出力ギャ７１１の図中Ｙ２方向（反時計回り方向）の回動となる。そして、出力ギャ７１１の図中Ｙ２方向（反時計回り方向）の回動は、ピニオン１２を介して駆動歯車１１が巻き取り回転方向（図中Ｘ１方向）に回転されることで許容される。つまり、ドラグ力に抗した釣糸Ｓの引き出しが停止された後に、ハンドル８が巻き取り操作されることで、釣糸案内体６０が、釣糸放出状態から釣糸巻き取り状態に復帰することとなる。
【００７９】
本実施形態においても、第１実施形態で説明した作用効果と同様の作用効果が得られる。
また、ピニオン１２周りのスペースを有効に利用してワンウェイギャ７１Ａを設けることができ、切換機構７０の省スペース化を図ることができる。これにより、魚釣用リールのコンパクト化も可能となる。
また、省スペース化により、フリクションギャ７２を大径化することができるので、耐久性を向上させることができる。
【００８０】
（第３実施形態）
図１７，図１８に第３実施形態の魚釣用リールを示す。本実施形態が前記第１，第２実施形態と異なるところは、公知のレバードラグ機構８０を備えたリール本体１に対して、切換機構７０を設けた点にある。図１７に示すように、スプール軸５は、ピン５ｃにより左カバー３ａに回り止めされて支持されており、スプール軸５にスプール５Ａが回転自在に支持されている。レバードラグ機構８０は、図１７に示すように、スプール軸５（支軸）の右側において、右フレーム２ｂの側方に設けられている。レバードラグ機構８０のドラグ力は、レバー８１の前後方向の回動操作で調節可能である。レバードラグ機構８０は、レバー８１で公知のカム、ネジ機構を介して、スプール５Ａの図示しない右側のフランジ側部に設けた制動部に対して、巻取駆動部側のドラグディスクの押圧力を加減することでスプール５Ａの回転を制動するように構成されている。
【００８１】
図１７に示すように、スプール５Ａの左側において、左フレーム２ａと左カバー３ａとの間には、切換機構７０が設けられている。切換機構７０は、第２実施形態で説明した構成と同様の構成を有している。すなわち、切換機構７０は、スプール５Ａの側部に支持体５Ｂを一体的に設け、この支持体５Ｂの筒部外周に直接取り付けられたワンウェイギャ７１Ａと、ワンウェイギャ７１Ａに噛合されたフリクションギャ７２と、フリクションギャ７２に噛合された回動部材５９Ａ（回動プレート５９に相当）と、を備えて構成されている。
【００８２】
ワンウェイギャ７１Ａは、スプール５Ａが釣糸巻き取り方向に回動した際に出力ギャ７１１をフリー回転可能にし、スプール５Ａが釣糸放出方向（釣糸引き出し方向）に回動した際にスプール軸５と出力ギャ７１１とを係合するように構成されている。つまり、ハンドル８が回転操作（巻き取り操作）されてスプール５Ａが釣糸巻き取り方向に回転している状態では、出力ギャ７１１がフリー回転し、スプール軸５から入力された回転力（駆動力）が出力ギャ７１１から出力されないようになっている。また、レバー８１により調節されたドラグ力に抗して釣糸Ｓが引き出され、スプール５Ａが釣糸放出方向に回転した状態では、支持体５Ｂと出力ギャ７１１とが連結されて一体回転し、スプール５Ａの回転力（引出力）が出力ギャ７１１からフリクションギャ７２に出力される。このように、ドラグ力に抗して釣糸Ｓが引き出され、スプール５Ａが釣糸放出方向に回転した場合にだけ、ワンウェイギャ７１を介してフリクションギャ７２が駆動されるようになっている。
【００８３】
なお、回動部材５９Ａには、左フレーム２ａとの間に復帰バネ５９５（不図示）が取り付けられている。復帰バネ５９５は、釣糸案内体６０を釣糸放出状態から釣糸巻き取り状態に復帰させる機能を有する。
【００８４】
次に、以上のような構成を有する魚釣用リールの作用について説明する。
釣糸Ｓを放出する際には、レバー８１を回動操作して、レバードラグ機構８０によるドラグ力を緩めた状態にする。そして、例えば、キャスティング操作等を行うと、スプール５Ａが釣糸放出方向に回転し、支持体５Ｂとワンウェイギャ７１Ａの出力ギャ７１１とが連結されて一体回転する。これにより、スプール５Ａの回転力（引出力）が出力ギャ７１１からフリクションギャ７２に出力され、フリクションギャ７２を介して回動部材５９Ａが回動される。この回動により、釣糸案内体６０が釣糸巻き取り状態から釣糸放出状態に回動されて姿勢変更される（図１８（ｂ）参照）。なお、姿勢変更後、引き続き釣糸Ｓが引き出されて所定のトルク以上の負荷がフリクションギャ７２に加わると、前記のように、フリクションギャ７２が空転（スリップ）する状態となり、必要以上の回転力（駆動力）が回動プレート５９に加わることが防止される。
【００８５】
その後、スプール５Ａの釣糸放出方向の回転が停止され、あるいは停止される状態に近付くと、復帰バネ５９５の付勢力により、釣糸案内体６０が釣糸放出状態から釣糸巻き取り状態に復帰する（図１８（ａ）参照）。
【００８６】
その後、ハンドル８を巻き取り操作すると、スプール５Ａが釣糸巻き取り方向に回転し、スプール５Ａに釣糸Ｓが均等に巻回される。
このような釣糸巻き取り状態においては、ワンウェイギャ７１Ａの作用により出力ギャ７１１が空転する状態となるので、フリクションギャ７２にスプール５Ａの回転力が伝達されることがなく、釣糸案内体６０は、復帰バネ５９５のバネ力によって釣糸巻き取り状態に保持される。これにより、釣糸案内体６０の幅狭案内部６７を通じた釣糸巻き取り状態が好適に維持される。
【００８７】
次に、レバードラグ機構８０により調節されたドラグ力に抗してスプール５Ａから釣糸Ｓが引き出されると、スプール５Ａが釣糸放出方向に回動し、ワンウェイギャ７１Ａを介してスプール５Ａ、支持体５Ｂの回転力が出力ギャ７１１からフリクションギャ７２に伝達される。
【００８８】
これによりフリクションギャ７２が回動し、これに噛合している回動プレート５９が回動されて、釣糸巻き取り状態に保持されていた釣糸案内体６０が釣糸放出状態に回動される（図１８（ｂ）参照）。
【００８９】
これにより、釣糸巻き取り時に幅狭案内部６７に挿通されていた釣糸Ｓが幅広開口部６８に移動され、幅広開口部６８を通じて釣糸Ｓが引き出される状態になる。
【００９０】
このように、釣糸案内体６０が釣糸放出状態（図１８（ｂ）参照）にされた後、引き続き釣糸Ｓが引き出されて所定のトルク以上の負荷がフリクションギャ７２に加わると、前記のように、フリクションギャ７２が空転（スリップ）する状態となり、釣糸案内体６０が釣糸放出状態（図１８（ｂ）参照）に保持されつつ、必要以上の回転力（駆動力）が回動プレート５９に対して加わらない状態とされる。
【００９１】
その後、ドラグ力に抗した釣糸Ｓの引き出しが停止されると、復帰バネ５９５の付勢力によって回動プレート５９が回動され、釣糸案内体６０が、釣糸放出状態から釣糸巻き取り状態に復帰する（図１８（ａ）参照）。
【００９２】
本実施形態においても、第１，第２実施形態で説明した作用効果と同様の作用効果が得られる。
また、本実施形態のようなクラッチ機構を有さないシンプルな構成の魚釣用リールにおいても好適に切換機構７０Ａを設けることができる。
また、スプール５Ａの回転に基づいて、切換機構７０が作動するので、釣糸案内体６０の姿勢変更時の作動応答性がよい。したがって、スプール５Ａに連結されたレバードラグ機構８０に作用する負荷を低減することができる。
【００９３】
以上、本発明の実施形態について説明したが、本発明は、上記した実施形態に限定されることはなく、種々変形することが可能である。
例えば、前記各実施形態では、釣糸案内体６０が回動して姿勢変更することで、釣糸Ｓの位置を変更するものについて説明したが、これに限られることはなく、釣糸案内体６０が直線的（上下方向等）に移動することで、釣糸Ｓを幅狭案内部６７または幅広開口部６８に位置させるように構成してもよい。
また、釣糸案内体６０を回動させたり移動させたりせずに、釣糸Ｓ自体を移動部材によって幅狭案内部６７または幅広開口部６８に位置させるように構成してもよい。
この場合、クラッチ機構２０と連動して移動部材が作動するようにしてもよい。
【００９４】
また、フリクションギャ７２のフリクション機構７２２は、粘性の流体を用いた機構を採用してもよい。
【００９５】
また、釣糸案内体６０については、その形状を適宜、変形することが可能である。例えば、幅広開口部６８を略三角形状にしたり、略円形状にする等、適宜変形することが可能である。また、規制部６９については、本実施形態のように、平坦状になったフレーム体６０Ｆの上壁６８ｂの後端縁で形成しなくてもよく、釣糸挿通部６０Ａを構成するフレーム体６０Ｆのいずれかの部分を屈曲形成するなど、その形状については適宜変形することが可能である。
【００９６】
また、釣糸案内体６０は、釣糸と接触する部分に、耐摩耗性を有するとともに、摺動抵抗の少ない部材（釣糸接触部材）を取着しておいてもよい。このような釣糸接触部材を取着しておくことで、釣糸放出時や釣糸巻き取り時に釣糸Ｓが接触しても、釣糸Ｓが切れることを防止でき、かつ接触抵抗をさらに軽減することが可能となる。
【００９７】
また、上記した実施形態では、釣糸案内体６０をクラッチ機構２０と連動して回動するように構成したが、クラッチ機構とは連動しなくてもよい。また、釣糸案内体６０を回動するに際しては、管状体５５の外周に、軸方向に延出する突起を設けて回り止めしたが、管状体５５に形成される長孔５５ａのエッジ５５ｅによって回り止めするようにしてもよい。さらに、上記したリール本体１の左右側板１Ａ，１Ｂ間に設けられたサムレスト１Ｄは、釣糸放出時の抵抗軽減のため、無くてもよいし、開閉可能に構成されていてもよい。
【符号の説明】
【００９８】
１    リール本体
５    スプール軸
５Ａ  スプール
８ｂ  ドラグ装置
２０  クラッチ機構
５０  レベルワインド装置
６０  釣糸案内体
６７  幅狭案内部
６８  幅広開口部
Ｓ    釣糸
【図１】
2015104341.tif 000003
【図２】
2015104341.tif 000004
【図３】
2015104341.tif 000005
【図４】
2015104341.tif 000006
【図５】
2015104341.tif 000007
【図６】
2015104341.tif 000008
【図７】
2015104341.tif 000009
【図８】
2015104341.tif 000010
【図９】
2015104341.tif 000011
【図１０】
2015104341.tif 000012
【図１１】
2015104341.tif 000013
【図１２】
2015104341.tif 000014
【図１３】
2015104341.tif 000015
【図１４】
2015104341.tif 000016
【図１５】
2015104341.tif 000017
【図１６】
2015104341.tif 000018
【図１７】
2015104341.tif 000019
【図１８】
2015104341.tif 000020